【事件の表示】
　特願２０１３−５４０６６４「電子機器及び電子機器の制御方法」拒絶査定不服審判事件〔平成２５年　５月　２日国際公開、ＷＯ２０１３／０６１６０７、請求項の数（２）〕について、次のとおり審決する。
【結　論】
　原査定を取り消す。
　本願の発明は、特許すべきものとする。
【理　由】
第１　手続の経緯　
　本願は、２０１２年１０月２６日を国際出願日（優先権主張２０１１年１０月２７日）とする出願であって、平成２７年２月９日付けで拒絶理由が通知され、平成２７年４月２０日付けで手続補正がなされ、平成２７年７月３１日付けで拒絶査定がされ、これに対し、平成２７年１１月２日に拒絶査定不服審判が請求されたものである。
第２　本願発明
　本願の請求項１−２に係る発明は、平成２７年４月２０日付け手続補正書の特許請求の範囲の請求項１−２に記載された事項により特定されるものと認められるところ、本願の請求項１に係る発明（以下、「本願発明」という。）は以下のとおりである。
「【請求項１】
　オブジェクトを表示する表示部と、
　接触物の接触を検出する接触検出部と、
　前記接触検出部に対する接触による押圧を検出する押圧検出部と、
　前記表示部に表示されたオブジェクトの領域と、前記接触物の接触位置と、前記押圧検出部により検出される押圧とに基づいて、前記オブジェクトに対応付けられた処理を行う制御部と、を備え、
　前記制御部は、前記押圧検出部により検出される押圧が増加するとともに、前記接触物の接触位置が前記領域内から当該領域外に変化した場合、当該領域内に前記接触位置があるとみなすように制御する、ことを特徴とする電子機器。」　
第３　原査定の理由の概要（下線は、本審決で特に着目した箇所を示す。以下同様。）
　この出願の下記の請求項に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　記
　請求項１に係る発明と文献１に記載された発明とは、オブジェクトを表示する
表示部（モニタテレビ１２）と
接触検出部（タッチパネル６２）と
押圧検出部（【００５３】）と
接触位置
押圧に基づくデータ
制御部（ＣＰＵ１８）と
　請求項１に係る発明と引用例１に記載された発明とは、押圧検出部により検出される押圧が増加するとともに、接触物の接触位置が領域内から当該領域外に変化した場合、当該領域内に前記接触位置があるとみなすように制御する点の明記が無い点で異なるものの、引用例１においては、出願人も意見書にて認めるとおり指７４の接触面積の増加に伴って変化後のタッチ信号を無視するものであり、そのことによって指によって押圧された位置が当該押圧を意図した位置からずれて入力がなされて誤動作することを防ぐ（操作する者の意図にそぐわないプログラムが起動されることが無いようにする）ものであり、
さらに段落７６にもあるとおり、Ｙｏｌｄすなわち領域内の位置を採用する技術も開示されていることを併せ考えるならば
〇引用文献等一覧
１．特開２００４−２４５６８２号公報
第４　当審の判断
１．引用文献の記載事項と、引用発明
　原査定で引用された「引用文献１」である特開２００４−２４５６８２号公報には、図面とともに、次の記載がある。（下線は、本審決で特に着目した箇所を示す。）
（１）　段落【００５１】−【００６６】（＜第１の実施の形態＞）
「【００５１】
＜本実施の形態の作用、効果＞
（コントローラ３６の基本動作）
本カーナビゲーション装置１０のコントローラ３６を構成するスキャン回路７６、８０は、上述したようにＣＰＵ１８に制御され、スキャン回路７６によりライン電極７０は一定の周期で所定の順番で電源７８に接続される。また、スキャン回路８０によりライン電極６８は一定の周期で所定の順番で電流が流れているか否かが検出される。
【００５２】
ここで、シート６６に指７４が触れていれば、シート６６上での指７４の接触位置に対応してライン電極６８とライン電極７０とが接触して導通する。したがって、電流が流れているライン電極７０と電源７８に接続されたライン電極６８とが検出されること、すなわち、何れかのライン電極６８と何れかのライン電極７０とが接触した際の検出結果に基づく
タッチ信号がＣＰＵ１８に入力されることで、シート６６に指７４が接触したこと並びにシート６６上
での
指７４の接触位置が検出され
【００５３】
一方、上記のように
シート６６に触れた指７４が所定の大きさ以上の押圧力でシート６６を押圧すると、タッチパネル６２を支持する支持板４４がプッシュスイッチ５４の可動部５８を押し下げ
により出力されたエンター信号はＣＰＵ１８に入力され、シート６６が所定の大きさ以上の押圧力で押圧されたことが検出され
【００５４】
（カーナビゲーション装置１０の作用）
本
カーナビゲーション装置１０では、
モニタテレビ１２の画面１４に、
現在地を中心とした付近の地図が表示され
【００５５】
また、例えば、本カーナビゲーション装置１０が有する各種の機能を選択するためのメニュープログラムをＣＰＵ１８がＲＯＭ２２等から読み込むと、図７に示されるような、
各種の機能名やその内容を文字や絵等で表した複数のアイコン２６が行列状に画面１４に表示されると共に
選択処理プログラムをＣＰＵ１８がＲＯＭ２２等から読み込
【００５６】
選択処理プログラムが読み込まれ、
ステップ１００で選択処理プログラムが実行されると
ステップ１０２で各種の初期設定を行なわれ
ステップ１０４ではエンター信号がＣＰＵ１８に入力された否かが判定され
ステップ１０４でエンター信号がＣＰＵ１８に入力されていないと判定されると
ステップ１０６でタッチ信号がＣＰＵ１８に入力された否かが判定され
【００５７】
ここで、シート６６に指７４が触れていなければ、タッチ信号がＣＰＵ１８に入力されることはなく、ましてや、エンター信号がＣＰＵ１８に入力されることもないため、このような場合には再びステップ１０４に戻り、言わば、信号入力待機状態になる。
【００５８】
これに対して、シート６６に指７４が触れたものの、所定の大きさ以上の力で押圧していない場合には、上記のようにシート６６での指７４の接触位置に対応したライン電極６８、７０が接触して導通するため、タッチ信号がＣＰＵ１８に入力される。ステップ１０８（審決注：「１０６」の誤記である。）で
タッチ信号が入力されたと判定された場合には
ステップ１０８でＲＡＭ２０に記憶させた直前のタッチ信号がＣＰＵ１８に読み込まれ
ステップ１１０では、入力されたタッチ信号とＲＡＭ２０から読み込んだタッチ信号が同一であるか否かが判定され
【００５９】
ここで、ＲＡＭ２０にタッチ信号が記憶されていない状態、すなわち、
入力されたタッチ信号が最初のタッチ信号
である場合には
ステップ１１２で振動信号がＣＰＵ１８から出力され
ステップ１１４ではタッチ信号がＲＡＭ２０に記憶され
ステップ１１６では
シート６６上での指７４の位置に対応したアイコン２６の色調等の変更が行なわれてステップ１０４に戻
　　　・・・（中略）・・・
【００６４】
一方、シート６６に触れた指７４が所定の大きさ以上の押圧力でシート６６を押圧すると、
エンター信号がＣＰＵ１８に入力され
ステップ１０４でエンター信号がＣＰＵ１８に入力されたと判定されると
ステップ１１８で既にＲＡＭ２０に記憶しているタッチ信号をＣＰＵ１８が読み込み、この読み込んだタッチ信号をエンター信号に対応したタッチ信号と
ステップ１２０のエンター処理では、このタッチ信号に基づいて色調等が変化させられているアイコン２６に対応したＲＯＭ２４からプログラムが読み込まれて起動、実行され
【００６５】
このように、ステップ１１８で既にＲＡＭ２０に記憶しているタッチ信号をＣＰＵ１８が読み込み、この読み込んだタッチ信号をエンター信号に対応したタッチ信号とすることで、指７４がシート６６を押圧した際に支持板４４からの押圧反力でシート６６に対する指７４の接触面積が増加し、これに伴い、シート６６上での指７４の接触部位の先端位置や面積的な重心位置が変化しても、変化後のタッチ信号は基本的に採用されずに無視され
このため、操作する者の意図にそぐわないプログラムが起動されることがない
【００６６】
また、仮に、支持板４４の押圧終了直前、すなわち、支持板４４を介してプッシュスイッチ５４が押圧されているものの、可動接点が固定接点に接触する直前に上記の押圧反力でシート６６上での指７４の接触部位の先端位置や面積的な重心位置が変化し、これに伴い、選択されているアイコン２６が変わった場合には、上記のようにモータ６０が駆動して支持板４４が振動する。この支持板４４の振動を指７４で感じることで、選択されているアイコン２６が変わったことを認識できる。これにより、支持板４４の押圧終了直前に押圧操作を中止でき、操作する者の意図にそぐわないプログラムが起動されることを未然に防ぐことができる。」
（２）　段落【００６７】−【００８９】（＜第２の実施の形態＞）
「【００６７】
＜第２の実施の形態＞
次に、本発明の第２の実施の形態について説明する。なお、
本実施の形態の装置構成に関しては、基本的に前記第１の実施の形態と同一で、前記第１の実施の形態との差異はタッチ信号及びエンター信号がＣＰＵ１８に入力された際の処理の仕方、すなわち、選択処理プログラムにある。したがって、本実施の形態を説明するうえで装置構成に関する説明は省略する
【００６８】
本実施の形態では、図１０のフローチャートに示される選択処理プログラムがＣＰＵ１８によりＲＯＭ２２等から読み込まれ、
ステップ２００で選択処理プログラムが実行されると
ステップ２０２ではタッチ信号がＣＰＵ１８に入力された
か
否かが判定され
【００６９】
ステップ２０２でタッチ信号がＣＰＵ１８に入力されていないと判定されると、再びステップ２０２に戻りタッチ信号の待機状態になる。これに対して、
ステップ２０２ではタッチ信号がＣＰＵ１８に入力されたと判定されると
ステップ２０４で前回のエンター信号入力時に採用したタッチ信号のシート６６上での縦方向の座標値（以下、シート６６上での縦方向の座標値を単に「座標値」）であるＹｏｌｄ（以下、「座標値Ｙｏｌｄ」と称する）と、今回のタッチ信号の直前に入力されて本選択処理プログラムでの判定に供されたタッチ信号の座標値であるＹｎ−１（以下、「座標値Ｙｎ−１」と称する）がＲＡＭ２０から読み込まれ
【００７０】
次いで、
ステップ２０６では、入力されたタッチ信号の座標値であるＹｎ（以下、「座標値Ｙｎ」と称する）と、座標値Ｙｏｌｄとが比較され
ステップ２０６で座標値Ｙｎと座標値Ｙｏｌｄとが同じであると判定された場合には
ステップ２０８で保持カウンタｎに１が加算され
【００７１】
これに対して、
ステップ２０６で座標値Ｙｎと座標値Ｙｏｌｄとが異なると判定された場合には
ステップ２１０で座標値Ｙｏｌｄに
座標値Ｙｎ−１が代入され、座標値Ｙｏｌｄが更新され
ステップ２１２で保持カウンタｎがリセットされ
【００７２】
以上の処理が行なわれた後、
ステップ２１４でエンター信号が入力されているか否かが判定され
【００７３】
これに対して、
ステップ２１４でエンター信号が入力されていると判定された場合には
ステップ２１８で保持カウンタｎの値が６よりも大きいか否かが判定され
ステップ２１８で保持カウンタｎの値が６よりも大きければ、座標値Ｙｎである今回入力されたタッチ信号がエンター信号に対応したタッチ信号として採用され
ステップ２２２では、このタッチ信号に対応したアイコン２６に基づくエンター処理が行なわれ、これに対応したプログラム起動、実行され
【００７４】
一方、
ステップ２１８でカウンタｎが６以下であると判定された場合には
ステップ２２４で座標値Ｙｏｌｄが０であるか否かが判定され
ステップ２２４で座標値Ｙｏｌｄが０であると判定された場合には、ステップ２２０を介してステップ２２２へ進
【００７５】
これに対して
ステップ２２４で座標値Ｙｏｌｄが０でないと判定された場合には
ステップ２２６で座標値Ｙｏｌｄと座標値Ｙｎとの差の絶対値が３未満であるか否かが判定され
ステップ２２６で座標値Ｙｏｌｄと座標値Ｙｎとの差の絶対値が
３未満
であると判定されれば、ステップ２２０を介してステップ２２２へ進
【００７６】
これに対して、
ステップ２２６で座標値Ｙｏｌｄと座標値Ｙｎとの差の絶対値が３以上であると判定されれば
ステップ２２８で座標値Ｙｏｌｄを含むタッチ信号がエンター信号に対応したタッチ信号として採用されてステップ２２２へ進
　　　・・・（中略）・・・
【００８６】
さらに、本実施の形態では、保持カウンタｎの値が６未満であって、且つ、座標値Ｙｏｌｄの値が０ではなく、更に、座標値Ｙｏｌｄと座標値Ｙｎとの差の絶対値が３以上（審決注：「３未満」の誤記と認める）である場合にも、新たに入力されたタッチ信号がプッシュスイッチ５４を押圧した者の意図に沿ったタッチ信号として採用される。例えば、指７４がシート６６上で比較的素早く移動し、この移動終了直後に即座にシート６６及び支持板４４を介してプッシュスイッチ５４を押圧した場合を考えると、シート６６上での所望の位置に指７４が正確に停止せずに、ずれている可能性がある。
【００８７】
しかしながら、この位置ずれであるはずの座標値Ｙｏｌｄと座標値Ｙｎとの差の絶対値が２以下であれば、素早く指７４が移動したものの、シート６６上での所望の位置に、指７４が比較的正確に到達したものと考えることができる。したがって、このような場合には、入力されたタッチ信号がプッシュスイッチ５４を押圧した者の意図に沿ったタッチ信号として採用することで、最終的には、操作した者の意図に沿った処理を行なうことができる。
【００８８】
これに対して、この位置ずれであるはずの座標値Ｙｏｌｄと座標値Ｙｎとの差の絶対値が３以上であれば、素早く指７４が移動したことで指７４がシート６６上での所望の位置に到達しなかったものと考えることができる。したがって、このような場合には、
座標値Ｙｏｌｄを含むタッチ信号、すなわち、新たに入力されたタッチ信号よりも以前に入力されたタッチ信号をエンター信号に対応するタッチ信号として採用することで、プッシュスイッチ５４を押圧した者の意図に沿った処理を行なう
【００８９】
このように、本実施の形態では、図１１及び図１２に示されるような統計的なデータに基づく選択処理プログラムを採用することで、シート６６及び支持板４４を介して指７４がプッシュスイッチ５４を押圧操作した際の位置ずれの大部分（約８０％）を補正することができ、操作する者の意図に沿った正確な処理を行なうことができる。」
　そして、引用文献１における、特に「第１の実施の形態」に関する上記記載事項（１）を、引用文献１の関連図面（特に図５）と技術常識に照らし、下線部に着目すれば、引用文献１には次の発明（以下、「引用発明１」という。）が記載されているといえる。
＜引用発明１＞
「タッチ信号がＣＰＵ１８に入力されることで、シート６６に指７４が接触したこと並びにシート６６上での指７４の接触位置が検出され、
　シート６６に触れた指７４が所定の大きさ以上の押圧力でシート６６を押圧すると、タッチパネル６２を支持する支持板４４がプッシュスイッチ５４の可動部５８を押し下げ、これにより出力されたエンター信号はＣＰＵ１８に入力され、シート６６が所定の大きさ以上の押圧力で押圧されたことが検出され、
　モニタテレビ１２の画面１４に、現在地を中心とした付近の地図が表示され、
　各種の機能名やその内容を文字や絵等で表した複数のアイコン２６が行列状に画面１４に表示されると共に、選択処理プログラムをＣＰＵ１８がＲＯＭ２２等から読み込み、
　ステップ１００で選択処理プログラムが実行されると、
　ステップ１０２で各種の初期設定を行なわれ、
　ステップ１０４ではエンター信号がＣＰＵ１８に入力された否かが判定され、
　ステップ１０４でエンター信号がＣＰＵ１８に入力されていないと判定されると、
　ステップ１０６でタッチ信号がＣＰＵ１８に入力された否かが判定され、
　タッチ信号が入力されたと判定された場合には、
　ステップ１０８でＲＡＭ２０に記憶させた直前のタッチ信号がＣＰＵ１８に読み込まれ、
　ステップ１１０では、入力されたタッチ信号とＲＡＭ２０から読み込んだタッチ信号が同一であるか否かが判定され、
　入力されたタッチ信号が最初のタッチ信号である場合には、
　ステップ１１２で振動信号がＣＰＵ１８から出力され、
　ステップ１１４ではタッチ信号がＲＡＭ２０に記憶され、
　ステップ１１６では、シート６６上での指７４の位置に対応したアイコン２６の色調等の変更が行なわれてステップ１０４に戻り、
　一方、シート６６に触れた指７４が所定の大きさ以上の押圧力でシート６６を押圧すると、エンター信号がＣＰＵ１８に入力され、
　ステップ１０４でエンター信号がＣＰＵ１８に入力されたと判定されると、
　ステップ１１８で既にＲＡＭ２０に記憶しているタッチ信号をＣＰＵ１８が読み込み、この読み込んだタッチ信号をエンター信号に対応したタッチ信号とし、
　ステップ１２０のエンター処理では、このタッチ信号に基づいて色調等が変化させられているアイコン２６に対応したＲＯＭ２４からプログラムが読み込まれて起動、実行され、
　このように、ステップ１１８で既にＲＡＭ２０に記憶しているタッチ信号をＣＰＵ１８が読み込み、この読み込んだタッチ信号をエンター信号に対応したタッチ信号とすることで、指７４がシート６６を押圧した際に支持板４４からの押圧反力でシート６６に対する指７４の接触面積が増加し、これに伴い、シート６６上での指７４の接触部位の先端位置や面積的な重心位置が変化しても、変化後のタッチ信号は基本的に採用されずに無視され、このため、操作する者の意図にそぐわないプログラムが起動されることがない、
カーナビゲーション装置１０。」
２．対比
（１）　引用発明１の「モニタテレビ１２」は、「複数のアイコン２６が行列状に画面１４に表示される」から、本願発明の「オブジェクトを表示する表示部」に相当する。
（２）　引用発明１の「タッチパネル６２」は、（タッチパネル６２の構成要素である）「シート６６に指７４が接触したこと並びにシート６６上での指７４の接触位置が検出され」るから、本願発明の「接触物の接触を検出する接触検出部」に相当する。
（３）　引用発明１の「プッシュスイッチ５４」は、（タッチパネル６２を構成する）「シート６６に触れた
指７４が所定の大きさ以上の押圧力でシート６６を押圧すると
プッシュスイッチ５４の可動部５８を押し下げ
（４）　引用発明１の「ＣＰＵ１８」は、本願発明の「制御部」に対応する。
　引用発明１の「ＣＰＵ１８」は、「
シート６６に触れた指７４が所定の大きさ以上の押圧力でシート６６を押圧すると、エンター信号がＣＰＵ１８に入力され
既にＲＡＭ２０に記憶しているタッチ信号をＣＰＵ１８が読み込み
このタッチ信号に基づいて色調等が変化させられているアイコン２６に対応した
プログラムが読み込まれて起動、実行され
（５）　引用発明１の「カーナビゲーション装置１０」は、本願発明の「電子機器」に相当する。
　したがって、本願発明と引用発明１との一致点・相違点は次のとおりである。
＜一致点＞
「オブジェクトを表示する表示部と、
　接触物の接触を検出する接触検出部と、
　前記接触検出部に対する接触による押圧を検出する押圧検出部と、
　前記表示部に表示されたオブジェクトの領域と、前記接触物の接触位置と、前記押圧検出部により検出される押圧とに基づいて、前記オブジェクトに対応付けられた処理を行う制御部と、を備える、ことを特徴とする電子機器。」
である点。　
　
＜相違点１＞ 
　本願発明では、さらに、「前記制御部は、前記押圧検出部により検出される押圧が増加するとともに、前記接触物の接触位置が前記領域内から当該領域外に変化した場合、当該領域内に前記接触位置があるとみなすように制御する」という制御を行うのに対して、引用発明１は、このような制御をしていない点。
３．判断
＜相違点１＞について
　引用発明１は、要するに、所定の大きさ以上の押圧力を検出した場合に（ステップ１０４でＹｅｓ）、検出するよりも前に記憶した（ステップ１１４）、位置に対応するアイコンを選択するという制御によって（ステップ１２０）、たとえ検出した後に位置が変化しても無視されるというものであって、所定の大きさ以上の押圧力を検出する前の位置等に基づく制御を行うことは特定がなされているものの、本願発明のように「押圧が増加するとともに、前記接触物の接触位置が前記領域内から当該領域外に変化した場合」に、「前記表示部に表示されたオブジェクトの領域」である「当該領域内に前記接触位置があるとみなすように制御する」ことは、特定がなされていない。
　引用文献１の段落【００７６】には、後記「４．引用文献１の『第２の実施の形態』についての予備的な検討」記載のように、過去と今回の２つの座標値である、「座標値Ｙｏｌｄと座標値Ｙｎとの差の絶対値」が３以上であるならば（ステップ２２６でＹｅｓ）、座標値Ｙｏｌｄを含むタッチ信号に対応したアイコン２６に対応したプログラムが起動、実行される（ステップ２２２）、という制御を行うことが記載されていることは認められるが、本願発明のように「押圧が増加するとともに、前記接触物の接触位置が前記領域内から当該領域外に変化した場合」に、「前記表示部に表示されたオブジェクトの領域」である「当該領域内に前記接触位置があるとみなすように制御する」ことは、特定されていない。
　引用発明１は、引用文献１の「第１の実施の形態」に係るものである一方、段落【００７６】の記載箇所は、引用文献１の「第２の実施の形態」に係るものであって、両者は、ハードウエアとしての装置構成は共通するものの、図５と図１０の２つのフローチャートで表される、処理の手順も、判断のパラメータや基準も異なる、２つの別の実施の形態であるから、一方の実施の形態に、他方の実施の形態の一部のステップを組合わせるようなことは、想定できない。また、仮に、両者を組み合わせられたとしても、いずれの実施の形態にも、本願発明のように「押圧が増加するとともに、前記接触物の接触位置が前記領域内から当該領域外に変化した場合」に、「前記表示部に表示されたオブジェクトの領域」である「当該領域内に前記接触位置があるとみなすように制御する」ことは特定されていない。
　また、このような点は、周知技術であるともいえないから、引用発明１において、上記相違点１に係る構成を採用することは、段落【００７６】の記載を併せ考えたとしても、当業者が容易に想到できたものであるとはいえない。
４．引用文献１の「第２の実施の形態」についての予備的な検討
（１）　以下、念のため、段落【００７６】が含まれている、引用文献１の「第２の実施の形態」についても、さらに検討する。
　引用文献１における、特に「第２の実施の形態」に関する上記記載事項（２）を、引用文献１の関連図面（特に図１０）と技術常識に照らし、下線部に着目すれば、引用文献１には次の発明（以下、「引用発明２」という。）も記載されているといえる。
＜引用発明２＞
「ステップ２００で選択処理プログラムが実行されると、
　ステップ２０２ではタッチ信号がＣＰＵ１８に入力されたか否かが判定され、
　ステップ２０２ではタッチ信号がＣＰＵ１８に入力されたと判定されると、
　ステップ２０４で前回のエンター信号入力時に採用したタッチ信号のシート６６上での縦方向の座標値（以下、シート６６上での縦方向の座標値を単に「座標値」）であるＹｏｌｄ（以下、「座標値Ｙｏｌｄ」と称する）と、今回のタッチ信号の直前に入力されて本選択処理プログラムでの判定に供されたタッチ信号の座標値であるＹｎ−１（以下、「座標値Ｙｎ−１」と称する）がＲＡＭ２０から読み込まれ、
　ステップ２０６では、入力されたタッチ信号の座標値であるＹｎ（以下、「座標値Ｙｎ」と称する）と、座標値Ｙｏｌｄとが比較され、
　ステップ２０６で座標値Ｙｎと座標値Ｙｏｌｄとが同じであると判定された場合には、
　ステップ２０８で保持カウンタｎに１が加算され、
　ステップ２０６で座標値Ｙｎと座標値Ｙｏｌｄとが異なると判定された場合には、
　ステップ２１０で座標値Ｙｏｌｄに座標値Ｙｎ−１が代入され、座標値Ｙｏｌｄが更新され、
　ステップ２１２で保持カウンタｎがリセットされ、
　ステップ２１４でエンター信号が入力されているか否かが判定され、
　ステップ２１４でエンター信号が入力されていると判定された場合には、
　ステップ２１８で保持カウンタｎの値が６よりも大きいか否かが判定され、
　ステップ２１８で保持カウンタｎの値が６よりも大きければ、座標値Ｙｎである今回入力されたタッチ信号がエンター信号に対応したタッチ信号として採用され、
　ステップ２２２では、このタッチ信号に対応したアイコン２６に基づくエンター処理が行なわれ、これに対応したプログラム起動、実行され、
　ステップ２１８でカウンタｎが６以下であると判定された場合には、
　ステップ２２４で座標値Ｙｏｌｄが０であるか否かが判定され、
　ステップ２２４で座標値Ｙｏｌｄが０であると判定された場合には、ステップ２２０を介してステップ２２２へ進み、
　ステップ２２４で座標値Ｙｏｌｄが０でないと判定された場合には、
　ステップ２２６で座標値Ｙｏｌｄと座標値Ｙｎとの差の絶対値が３未満であるか否かが判定され、
　ステップ２２６で座標値Ｙｏｌｄと座標値Ｙｎとの差の絶対値が３未満であると判定されれば、ステップ２２０を介してステップ２２２へ進み、
　ステップ２２６で座標値Ｙｏｌｄと座標値Ｙｎとの差の絶対値が３以上であると判定されれば、
　ステップ２２８で座標値Ｙｏｌｄを含むタッチ信号がエンター信号に対応したタッチ信号として採用されてステップ２２２へ進み、
　座標値Ｙｏｌｄを含むタッチ信号、すなわち、新たに入力されたタッチ信号よりも以前に入力されたタッチ信号をエンター信号に対応するタッチ信号として採用することで、プッシュスイッチ５４を押圧した者の意図に沿った処理を行なう、
装置。」
（２）　本願発明と引用発明２との対比
ア　引用発明２は、引用文献１の＜第２の実施の形態＞に係るものであって、これは「
装置構成に関しては、基本的に前記第１の実施の形態と同一
第１の実施の形態との差異は
選択処理プログラムにある
イ　引用発明２の「ＣＰＵ１８」は、本願発明の「制御部」に対応する。
　引用発明２の「ＣＰＵ１８」は、「ステップ２１４で
エンター信号が入力されていると判定された場合
座標値Ｙｏｌｄが０でないと判定された場合
座標値Ｙｏｌｄと座標値Ｙｎとの差の絶対値が３未満であるか否かが判定され
座標値Ｙｏｌｄを含むタッチ信号がエンター信号に対応したタッチ信号として採用されて
アイコン２６に基づく
対応したプログラム起動、実行され
　したがって、本願発明と引用発明２との一致点・相違点は次のとおりである。
＜一致点＞
「オブジェクトを表示する表示部と、
　接触物の接触を検出する接触検出部と、
　前記接触検出部に対する接触による押圧を検出する押圧検出部と、
　前記表示部に表示されたオブジェクトの領域と、前記接触物の接触位置と、前記押圧検出部により検出される押圧とに基づいて、前記オブジェクトに対応付けられた処理を行う制御部と、を備える、ことを特徴とする電子機器。」
である点。　
　
＜相違点２＞ 
　本願発明では、さらに、「前記制御部は、前記押圧検出部により検出される押圧が増加するとともに、前記接触物の接触位置が前記領域内から当該領域外に変化した場合、当該領域内に前記接触位置があるとみなすように制御する」という制御を行うのに対して、引用発明２は、このような制御をしていない点。
（３）　判断
（相違点２について）
　引用発明２は、要するに、所定の大きさ以上の押圧力を検出した場合に（ステップ２１４でＹｅｓ）、保持カウンタｎの値が６以下であって（ステップ２１８でＮｏ）、かつ、座標値Ｙｏｌｄが０でなく（ステップ２２４でＮｏ）、座標値Ｙｏｌｄと座標値Ｙｎとの差の絶対値が３以上であるならば（ステップ２２６でＹｅｓ）、座標値Ｙｏｌｄを含むタッチ信号に対応したアイコン２６に対応したプログラムが起動、実行される（ステップ２２２）、という制御を行うものであって、過去と今回の２つの座標値である、「座標値Ｙｏｌｄと座標値Ｙｎとの差の絶対値」等に基づく制御を行うことは特定がなされているものの、本願発明のように「押圧が増加するとともに、前記接触物の接触位置が前記領域内から当該領域外に変化した場合」に、「前記表示部に表示されたオブジェクトの領域」である「当該領域内に前記接触位置があるとみなすように制御する」ことは、特定がなされていない。
　また、このような点は、周知技術であるともいえないから、引用発明２において、上記相違点２に係る構成を採用することは、当業者が容易に想到できたものであるとはいえない。
５．小括
　したがって、本願発明は、当業者が引用発明１、２及び周知技術に基づいて容易に発明をすることができたとはいえない。
　本願の請求項２に係る発明は、本願発明と実質的にカテゴリーのみが相違するものであるので、本願発明と同様に、当業者が引用発明１、２及び周知技術に基づいて容易に発明をすることができたとはいえない。
第５　むすび
　以上のとおり、本願の請求項１−２に係る発明は、当業者が引用文献１に記載された発明に基づいて容易に発明をすることができたものではないから、原査定の理由によっては、本願を拒絶することはできない。
　また、他に本願を拒絶すべき理由を発見しない。
　よって、結論のとおり審決する。